(57)【特許請求の範囲】
【請求項１】
表示手段と、
前記表示手段上に設けられた入力手段と、
所定のサスペンド時間及びサンプリング時間を計算するタイマと、
前記入力手段へのキー入力の数を計数するカウンタと、
供給電力の制御を行う電力制御手段と、
前記キー入力が行われるごとに前記入力手段から入力されたキー入力の有効／無効 判定を行う判定手段と、
前記表示手段、前記入力手段、前記タイマ、前記カウンタ、前記電力制御手段及び前記判定手段を制御する制御手段と、
具備する電子機器であって、
前記制御手段は、前記判定手段での判定結果に基づいて、前記入力手段から入力された前記キー入力が有効なキー入力であると判断される場合には、前記カウンタに有効入力回数をカウントアップし、前記入力手段から入力された前記キー入力が有効なキー入力でないと判断される場合には、前記カウンタに無効入力回数をカウントアップし、前記サンプリング時間に到達するごとに前記有効入力回数と前記無効入力回数を比較して判定を行い、前記有効入力回数と前記無効入力回数の比が所定の閾値以下の場合には前記所定のサスペンド時間を計数する前記タイマをリセットしてリスタートさせ、前記タイマの計数結果が前記サスペンド時間に到達した際に、前記 電力制御手段を制御して省電力モードに移行させ、かつ前記カウンタの計数値から求められる無効率（前記無効入力回数／総入力回数）が所定回数連続して所定の閾値を越えた場合には、前記タイマの計数結果が前記サスペンド時間に到達していなくても、前記電力制御手段を制御して省電力モードに移行させることを特徴とする電子機器。
【請求項２】
表示手段と、
前記表示手段上に設けられた入力手段と、
所定のサスペンド時間及びサンプリング時間を計算するタイマと、
前記入力手段へのキー入力の数を計数するカウンタと、
供給電力の制御を行う電力制御手段と、
前記キー入力が行われるごとに前記入力手段から入力されたキー入力の有効／無効判定を行う判定手段と、
前記表示手段、前記入力手段、前記タイマ、前記カウンタ、前記電力制御手段及び前記判定手段を制御する制御手段と、
具備する電子機器であって、
前記制御手段は、前記判定手段での判定結果に基づいて、前記入力手段から入力された前記キー入力が有効なキー入力であると判断される場合には、前記カウンタに有効入力回数をカウントアップし、前記入力手段から入力された前記キー入力が有効なキー入力でないと判断される場合には、前記カウンタに無効入力回数をカウントアップし、前記サンプリング時間に到達するごとに前記有効入力回数と前記無効入力回数を比較して判定を行い、前記有効入力回数と前記無効入力回数の比が所定の閾値以下の場合には前記所定のサスペンド時間を計数する前記タイマをリセットしてリスタートさせ、前記タイマの計数結果が前記サスペンド時間に到達した際に、前記 電力制御手段を制御して省電力モードに移行させ、かつ前記無効入力回数が所定の閾値を越えた場合には、前記タイマの計数結果が前記サスペンド時間に到達していなくても、前記電力制御手段を制御して省電力モードに移行させることを特徴とする電子機器。
【請求項３】
表示手段に情報を表示し、前記表示手段上に設けられた入力手段からキー入力を受け、タイマで所定のサスペンド時間及びサンプリング時間を計算し、カウンタで所定のキー入力数を計数し、前記キー入力が行われるごとにキー入力の有効／無効判定を行い、供給電力の制御を行う、電力制御方法であって、
前記有効／無効判定の判定結果に基づいて、前記入力手段から入力された前記キー入力が有効なキー入力であると判断される場合には、前記カウンタに有効入力回数をカウントアップし、前記入力手段から入力された前記キー入力が有効なキー入力でないと判断される場合には、前記カウンタに無効入力回数をカウントアップし、前記サンプリング時間に到達するごとに前記有効入力回数と前記無効入力回数を比較して判定を行い、前記有効入力回数と前記無効入力回数の比が所定の閾値以下の場合には前記所定のサスペンド時間を計数する前記タイマをリセットしてリスタートさせ、前記タイマの計数結果が前記サスペンド時間に到達した際に、前記供給電力を制御して省電力モードに移行させ、かつ前記カウンタの計数値から求められる無効率前記無効入力回数／総入力回数）が所定回数連続して所定の閾値を越えた場合には、前記タイマの計数結果が前記サスペンド時間に到達していなくても、前記電力制御手段を制御して省電力モードに移行させることを特徴とする電力制御方法。
【発明の詳細な説明】
【０００１】
【発明の属する技術分野】
本発明は、携帯情報端末等の電子機器及びその電力制御方法に関する。特には、より効率よく省電力モードへの移行を行うことができる電子機器等に関する。
【０００２】
【従来の技術】
近年の半導体技術の進歩によって、パーソナルコンピュータ等の情報処理装置の機能を凝縮した小型で携帯可能な情報端末装置が開発されている。これは、所謂、ＰＤＡ（携帯情報端末、Personal Digital Assistants）と呼ばれる装置で、例えば、ＰＤＣ（デジタル携帯電話）やＰＨＳ（Personal Handyphone System）と称される携帯電話装置が急激に普及している。
【０００３】
このような携帯情報端末等の電子機器は、電池やバッテリーによって駆動される。また、この電子機器には、液晶表示画面や画面上を押圧することにより入力を行うタッチパネル等が具備されており、益々多機能化が進んでいる。
【０００４】
そこで、このような電子機器には、消費電力を抑えて長時間の使用を可能とする省電力（サスペンド）モードが用意されている。これは、電源スイッチがオンの状態でも、入力がなされない場合には、一定時間後に液晶画面の表示を行わない等の措置をとる方法である。
【０００５】
図１２は、従来の電子機器の省電力方法を示すフローチャートである。
図１２においては、まず、電子機器の電源がオンされると（ステップ１０１）、サスペンドまでの時間を計測するサスペンドタイマがスタートする（ステップ１０２）。このサスペンドタイマは、省電力モードに移行するまでの時間を計測するためのもので、例えば、５分等に設定することができる。
その後、機器のソフトウェア上では、タッチパネル等からの入力の待ち受け状態となる。
【０００６】
タッチパネル等からの入力があった場合（ステップ１０３）には、上述のサスペンドタイマをリセットし（ステップ１０４）、新たに、サスペンドタイマをスタートさせて（ステップ１０２）省電力モードに移行するまでの時間を計測する。
また、タッチパネル等からの入力がなく、設定した時間を経過（Time Over）した場合（ステップ１０６）には、省電力モードに移行する（ステップ１０７）。
【０００７】
【発明が解決しようとする課題】
上述の従来の電力制御方法では、タッチパネル等から何らかの入力がなされた場合には、省電力モードに移行することは無い。しかし、例えば、携帯型の電子機器の電源を切り忘れた状態で衣服や鞄の中に入れた場合には、タッチパネル等に衣服等が接触し、頻繁に入力がなされてしまう。この場合には、省電力モードに移行することができないことがあるので、電力を消耗してしまう。
また、子供が悪戯をして、電子機器のタッチパネルを操作することがある。この場合には、省電力モードに移行することができないばかりか、場合によっては、不用意にデータを外部に送信してしまう等の問題が発生することにもなりかねない。
【０００８】
本発明は、このような問題に鑑みてなされたものであって、より効率よく省電力モードへの移行を行うことができる電子機器及びその電力制御方法を提供することを目的とする。
【０００９】
【課題を解決するための手段】
上記の課題を解決するため、本発明の電子機器は、  液晶パネル等の表示手段と、  前記表示手段上に設けられたタッチパネル等の入力手段と、  所定のサスペンド時間及びサンプリング時間を計算するタイマと、  所定のキー入力数等を計数するカウンタと、  供給電力の制御を行う電力制御手段と、  前記サンプリング時間毎に、前記入力手段から入力されたキー入力の有効／無効判定を行う判定手段と、  前記表示手段、前記入力手段、前記タイマ、前記カウンタ、前記電力制御手段及び前記判定手段を制御する制御手段と、  を具備する電子機器であって、  前記制御手段は、前記判定手段での判定結果に基づいて、前記入力手段から入力された前記キー入力が有効なキー入力であると判断される場合には、前記カウンタに有効入力回数をカウントアップし、前記入力手段から入力された前記キー入力が有効なキー入力でないと判断される場合には、前記カウンタに無効入力回数をカウントアップし、前記有効入力回数と前記無効入力回数を比較して判定を行い、前記有効入力回数と前記無効入力回数の比が所定の閾値以下の場合には前記所定のサスペンド時間を計数する前記タイマをリセットしてリスタートさせ、前記タイマの計数結果が前記サスペンド時間に到達した際に、前記電力制御手段を制御して省電力モードに移行させる、  ことを特徴とする。
【００１０】
これにより、有効入力がなされている間は、省電力モードに移行せず、無効入力がなされつつ、一定時間が経過した場合に省電力モードに移行させることができ、より効率的に電力を制御できる。
【００１１】
前記電子機器においては、  前記表示手段に有効入力領域と無効入力領域を設け、  前記制御手段は、前記有効入力領域へのキー入力に対して有効と判定し、前記無効入力領域へのキー入力に対して無効と判定することができる。
【００１２】
前記電子機器においては、  前記カウンタの計数値から求められる有効率（前記有効入力回数／総入力回数）が所定の閾値を越えた場合に、前記所定のサスペンド時間を計数する前記タイマをリセットしてリスタートさせることができる。
このように、設定した有効率を超えた場合には、省電力モードに移行する時間（サスペンドタイマ）をリスタートすることができ、有効入力中には、省電力モードになることなく使用できる。
【００１３】
前記電子機器においては、  前記カウンタの計数値から求められる有効率（前記有効入力回数／総入力回数）が所定の閾値を越えないで、前記タイマの計数結果が前記サスペンド時間に到達した際に、前記電力制御手段を制御して省電力モードに移行させる、  こともできる。
これにより、携帯型の電子機器の電源を切り忘れた状態で衣服や鞄の中に入れ、タッチパネル等に衣服等が接触し、頻繁に入力がなされてしまう場合にも、キー入力の有効率が低ければ、一定時間後に省電力モードに移行させることができる。
【００１４】
前記電子機器においては、  前記カウンタの計数値から求められる無効率（前記無効入力回数／総入力回数）が所定の閾値を越えた場合には、前記タイマの計数結果が前記サスペンド時間に到達していなくても、前記電力制御手段を制御して省電力モードに移行させる、  こともできる。
これにより、他人が不正なパスワードを複数回入力して無効率が大きくなる場合には、サスペンド時間到達を前にして、省電力モードに移行することができ、パスワード解除までの時間を引き延ばすことができる。
【００１５】
前記電子機器においては、  前記無効入力回数が所定の閾値を越えた場合には、前記タイマの計数結果が前記サスペンド時間に到達していなくても、前記電力制御手段を制御して省電力モードに移行させる、  こともできる。
これにより、子供が悪戯をした場合等に、無効率が比較的低くても無効入力キーを多数回押した場合には、サスペンド時間到達を前にして、省電力モードに移行することもできる。
【００１６】
本発明の電力制御方法は、  液晶パネル等の表示手段に情報を表示し、  前記表示手段上に設けられたタッチパネル等の入力手段からキー入力を受け、  タイマで所定のサスペンド時間及びサンプリング時間を計算し、  カウンタで所定のキー入力数等を計数し、  前記サンプリング時間毎に、前記入力手段から入力されたキー入力の有効／無効判定を行い、  供給電力の制御を行う、  電力制御方法であって、  前記有効／無効判定の判定結果に基づいて、前記入力手段から入力された前記キー入力が有効なキー入力であると判断される場合には、前記カウンタに有効入力回数をカウントアップし、前記入力手段から入力された前記キー入力が有効なキー入力でないと判断される場合には、前記カウンタに無効入力回数をカウントアップし、前記有効入力回数と前記無効入力回数を比較して判定を行い、前記有効入力回数と前記無効入力回数の比が所定の閾値以下の場合には前記所定のサスペンド時間を計数する前記タイマをリセットしてリスタートさせ、前記タイマの計数結果が前記サスペンド時間に到達した際に、前記供給電力を制御して省電力モードに移行させる、  ことを特徴とする。
前記電力制御方法においては、  前記表示手段に有効入力領域と無効入力領域を設け、  前記有効入力領域へのキー入力に対して有効と判定し、前記無効入力領域へのキー入力に対して無効と判定することができる。
【００１７】
前記電力制御方法においては、  前記カウンタの計数値から求められる有効率（前記有効入力回数／総入力回数）が所定の閾値を越えた場合に、前記所定のサスペンド時間を計数する前記タイマをリセットしてリスタートさせることができる。
【００１８】
前記電力制御方法においては、  前記カウンタの計数値から求められる有効率（前記有効入力回数／総入力回数）が所定の閾値を越えないで、前記タイマの計数結果が前記サスペンド時間に到達した際に、前記電力制御手段を制御して省電力モードに移行させる、  こともできる。
【００１９】
前記電力制御方法においては、  前記カウンタの計数値から求められる無効率（前記無効入力回数／総入力回数）が所定の閾値を越えた場合には、前記タイマの計数結果が前記サスペンド時間に到達していなくても、前記電力制御手段を制御して省電力モードに移行させる、  こともできる。
【００２０】
前記電力制御方法においては、  前記無効入力回数が所定の閾値を越えた場合には、前記タイマの計数結果が前記サスペンド時間に到達していなくても、前記電力制御手段を制御して省電力モードに移行させる、  こともできる。
【００２１】
【発明の実施の形態】
以下、図面を参照しつつ説明する。
まず、本発明に実施の形態に係る電子機器の概要について説明する。
図１は、本発明の実施の形態に係る電子機器を概要を示す一部分解斜視図である。
【００２２】
図１には、本発明の実施の形態に係る電子機器の一例として、小型の携帯情報端末１が示されている。携帯情報端末１には、成型加工されたプラスチック等のケース２が設けられている。ケース２の中央部の図の上面には、情報を表示する液晶パネル３が嵌め込まれている。液晶パネル３の図の上方には、押圧することにより入力を行うタッチパネル４が分解されて示されている。この液晶パネル３及びタッチパネル４の構成については、図２を参照しつつ後述する。また、ケース２の図の右方の上面には、携帯情報端末１の電源をオン／オフする電源ボタン５と、省電力状態を解除するための省電力解除スイッチ６と、が設けられている。ケース２の内部には、図示はしないが、携帯情報端末１の電源である電池やバッテリーと、携帯情報端末１の所定の機能を実現する集積回路等を含む装置と、が設けられている。また、場合によっては、ケース２に、タッチパネル４を押圧するタッチペン等も設けられる。
【００２３】
図２は、液晶パネル及びタッチパネルの構成を示す側面断面図である。
図２には、液晶パネル３と、液晶パネル３上に配置されたタッチパネル４と、が示されている。液晶パネル３とタッチパネル４は、各々の端面を接着剤２１で固定されており、中央部には所定の厚さを有する隙間２２が設けられている。また、液晶パネル３の下方には、光吸収層２３が配置されている。
【００２４】
液晶パネル３には、下方から順に、赤色表示を行う赤色表示層３１Ｒと、緑色表示を行う緑色表示層３１Ｇと、青色表示を行う青色表示層３１Ｂと、が積層されている。各表示層３１Ｒ、３１Ｇ、３１Ｂの下部には、ある厚さを有する平板状をした透明の基板３２ａが設けられている。一方、各表示層３１Ｒ、３１Ｇ、３１Ｂの上部には、ある厚さを有する平板状をした透明の基板３２ｂが基板３２ａと対向するように設けられている。基板３２ａの上面には、薄い平板状をした透明の導電膜３３ａが設けられている。導電膜３３ａと基板３２ｂの端部の周囲は、シール材３４を介して固定されている。基板３２ｂの下面には、基板３２ａと同様に、薄い平板状をした透明の導電膜３３ｂが設けられている。導電膜３３ａの上面及び導電膜３３ｂの下面には、それぞれ必要に応じて、絶縁膜３５ａ、３５ｂ及び配向制御膜３６ａ、３６ｂが設けられる。配向制御膜３６ａ、３６ｂの間には、一定の間隔を空けて、複数の樹脂製柱状構造物３７が配置されている。また、配向制御膜３６ａ、３６ｂの間の隙間には、複数の球状スペーサ３９が配置されている。さらに、配向制御膜３６ａ、３６ｂの間の隙間には、液晶３８が充填されている。
【００２５】
タッチパネル４の上下部には、ある厚さを有する平板状をした透明の基板４１、４２が対向するように配置されている。基板４２の上面には、薄い平板状をし、均一な抵抗分布を有する透明な導電膜４３が設けられている。導電膜４３と基板４１の端部の周囲は、接着剤４４で固定されている。基板４１の下面には、基板４２と同様に、薄い平板状をし、均一な抵抗分布を有する透明な導電膜４５が設けられている。導電膜４５には、複数の貫通孔が設けられており、各々の貫通孔部に球状スペーサ４６が配置されている。
【００２６】
続いて、タッチパネルの押圧位置の測定方法について説明する。
図３は、タッチパネルの押圧位置の測定装置の概要を説明するための図である。ここで、図中の左右方向をＸ方向とし、上下方向をＹ方向とする。
図３には、図２に示した基板４１の平面図が示されている。基板４１の図の上下の端面には、図の横方向に伸びる電極４１ａ、４１ｂが設けられている。電極４１ａ、４１ｂは、基板４１の下面に設けられた導電膜４５（図２参照）に接続されている。また、図３に示す基板４１の下方には、基板４２（図２参照）が配置されている。基板４２の図の左右の端面には、図の縦方向に伸びる電極４２ａ、４２ｂが設けられている。電極４２ａ、４２ｂは、基板４２の上面に設けられた導電膜４３（図２参照）に接続されている。電極４１ａ、４１ｂから延びる配線は、端子４１ｃに接続されている。また、電極４２ａ、４２ｂから延びる配線は、端子４２ｃに接続されている。なお、各電極には、図示せぬ電源から一定の電圧が印加される。
【００２７】
図３には、また、タッチパネル４のアナログ信号をデジタル信号に変換するＡ／Ｄ変換器４０が示されている。Ａ／Ｄ変換器４０の配線は、端子４０ａに接続されている。端子４０ａには、切換えスイッチ４０ｂが設けられており、端子４１ｃと４２ｃの切換えを行う。
【００２８】
ところで、タッチパネル４が押圧されると、その部分の導電膜４３、４５が接触し、電圧勾配ができる。このとき、例えば、切換えスイッチ４０ｂを端子４１ｃに接続し、電極４１ａ、４１ｂ間の電圧値をＡ／Ｄ変換器４０で読みとることにより、押圧箇所のＹ方向位置を検出することができる。一方、切換えスイッチ４０ｂを端子４２ｃに接続し、電極４２ａ、４２ｂ間の電圧値をＡ／Ｄ変換器４０で読みとることにより、押圧箇所のＸ方向位置を検出することができる。このように、切換えスイッチ４０ｂの切換えを交互に行うことにより、随時、タッチパネル４の押圧箇所のＸＹ座標位置を検出することができる。
【００２９】
次に、液晶パネル３の表示領域について説明する。
図４は、液晶パネル３の表示領域を説明するための図である。
図４には、液晶パネル３（図１参照）の表示画面の一例が示されている。この表示画面領域は、大きく分けて２つに分類できる。１つは、液晶パネル３の中央部に配置されている四角い枠内の第１表示領域５１であり、もう１つは、第１表示領域５１の外側の四角い枠内の第２表示領域５５である。この第１表示領域５１及び第２表示領域５５の領域内がタッチパネル４の有効入力範囲である。
【００３０】
第１表示領域５１内には、一例として、「０及び１〜９」の数字ボタンと、「＊」、「＃」のボタンイメージ５２が表示されている。ここで、第１表示領域５１内のボタンイメージ５２の表示されている部分を入力有効範囲とし、この部分が押圧された場合には「有効入力」とみなす。また、第１表示領域５１内のボタンイメージ５２の表示されていない部分を入力無効範囲５３とし、この部分が押圧された場合には「無効入力」とみなす。なお、第１表示領域５１は、携帯情報端末１（図１参照）のアプリケーションソフトウェアによって表示される。
【００３１】
第２表示領域５５内の第１表示領域５１の下方には、一例として、「ＭＥＮＵ」、「ＯＫ」、「Ｃａｎｃｅｌ」のボタンイメージ５６と、手入力で文字を入力できる手入力文字入力領域５７が表示されている。ここで、第２表示領域５５内のボタンイメージ５６及び手入力文字入力領域５７の部分を入力有効範囲とし、この部分が押圧された場合には「有効入力」とみなす。また、第２表示領域５５内のボタンイメージ５６及び手入力文字入力領域５７以外の部分を入力無効範囲５８とし、この部分が押圧された場合には「無効入力」とみなす。なお、第２表示領域５５に表示されるボタン等はシステム固定のものであり、携帯情報端末１（図１参照）のオペレーティングシステムが監視している。
【００３２】
次に、携帯情報端末１のシステムについて説明する。
図５は、携帯情報端末１のシステムの構成を示すブロック図である。
図５の中央には、携帯情報端末１（図１参照）のシステムを制御するＣＰＵ６１が示されている。ＣＰＵ６１には、Ａ／Ｄ変換器（図３参照）等を備えるキー入力制御部６２を介して、タッチパネル４（図１等参照）が接続されている。ＣＰＵ６１には、また、液晶パネルの導電膜（図２参照）の印加電圧等を制御する画像処理部６３を介して、液晶パネル３（図１等参照）が接続されている。さらに、ＣＰＵ６１には、省電力モードへの移行処理等を行う電力制御部６４を介して接続された電池やバッテリー等の電源６５と、省電力（サスペンド）モードへの移行時間と入力のサンプリング時間を計測するタイマ（以下、サスペンドタイマ、サンプリングタイマと呼ぶ）と、有効入力と無効入力の回数等を計数するカウンタ６９と、アプリケーションソフトウェア等が格納されているＲＯＭ６８と、タッチパネル４等から入力されたコマンドや設定値を記憶するＲＡＭ６７と、入力されたキーが有効であるか無効であるかを判定するキー入力判定部６０と、が具備されている。
【００３３】
続いて、本発明の実施の形態に係る電力制御方法について説明する。
図６は、携帯情報端末１の電力制御方法を実現するプログラムルーチンを示す図である。
図６には、携帯情報端末１の基本的な処理を行うメインルーチン７１と、省電力（サスペンド）モードへの移行時間と入力のサンプリング時間を計測するタイマを動作させるタイマ割り込みルーチン７２と、液晶画面の表示を行わない等の省電力（サスペンド）処理を行うサスペンド割り込みルーチン７３と、サンプリング時間毎に有効入力と無効入力の頻度等を比較するサンプリング割り込みルーチン７４と、タッチパネル４にキータッチが行われた際に有効入力と無効入力の回数を計数するタッチ割り込み処理ルーチン７５と、が示されている。
【００３４】
メインルーチン７５で電源がオンされると（ステップ１）、タイマ割り込みルーチン７２に割り込み処理が行われる。
タイマ割り込みルーチン７２においては、タイマ（図５参照）が動作される（ステップ２）。ここでは、上述したように、省電力（サスペンド）モードへの移行時間を計測するサスペンドタイマ（ステップ３）と、入力のサンプリング時間を計測するサンプリングタイマ（ステップ４）とを動作させる。ここでは、一例として、省電力（サスペンド）モードへの移行時間を５分とし、入力のサンプリング時間を３０秒とする。タイマが動作されると、メインルーチン７５の処理が再開される。
【００３５】
メインルーチン７５において、タッチパネル４にキータッチが行われると（ステップ５）、タッチ割り込み処理ルーチン７５に割り込み処理が行われる。
タッチ割り込み処理ルーチン７５においては、まず、入力されたキー入力が有効であるか無効であるかの判定をする（ステップ６）。これは、図３を参照して説明したように、タッチパネル４の押圧された箇所のＸＹ座標を測定できるので、その座標が図４に示した有効入力範囲内にあるかどうかを判定することにより行う。そして、キー入力が有効である場合には（ステップ７）、カウンタ（図５参照）で有効カウントを１つアップさせる（ステップ８）。あるいは、キー入力が無効である場合には（ステップ７）、カウンタで無効カウントを１つアップさせる（ステップ９）。このカウント値をメインルーチン７５に返し、メインルーチン７５の処理が再開される。
【００３６】
ここで、サンプリング時間の３０秒が経過すると、サンプリング割り込みルーチン７４に割り込み処理が行われる。
サンプリング割り込みルーチン７４においては、タッチ割り込み処理ルーチン７５において計数された有効及び無効カウント値を比較する（ステップ１０）。ここで、比較の基準となるのは、有効入力率（有効キー入力数／総入力数）や、無効入力の頻度等であり、様々に設定できる。なお、この比較の基準については、実施例を挙げて詳しく後述する。
【００３７】
有効入力がなされていると判断される場合には（ステップ１１）、サスペンドタイマ及びサンプリングタイマをリスタートさせ（ステップ１２）、カウンタをリセットする（ステップ１４）。サスペンドタイマをリセットすることにより、有効入力がなされている間は、省電力モードに移行することなく使用できる。
有効入力がなされていないと判断される場合には（ステップ１１）、サンプリングタイマをリスタートさせ（ステップ１３）、カウンタをリセットする（ステップ１４）。サンプリングタイマをリセットして、３０秒後に再び、キー入力の有効性の判定を行う。
【００３８】
上述のように、３０秒毎にサンプリングを行い、有効入力がなされないまま５分が経過すると、サスペンド処理を行い、省電力モードに移行する（ステップ１５）。
【００３９】
次に、本発明の電力制御方法について実施例を挙げて説明する。
実施例１
図７は、本発明の電力制御方法の第１の実施例について説明するための図である。
この実施例においては、例えば、以下のような設定を行う。
サスペンド時間        ：５分
サンプリング時間      ：３０秒
有効／無効の比較の基準：有効率（有効キー入力数／総入力数）が８０％を越えた場合に、サスペンドタイマをリスタートする
【００４０】
図７においては、３０秒ごとの経過時間と、その間の有効入力回数と、無効入力回数と、それらの有効率（有効キー入力数／総入力数）が示されている。
この例においては、電源をオンして３０秒後までは、入力がなされず、有効入力数：０、無効入力数：０、有効率：０％となっている。この場合には、有効率が８０％を越えていないので、サスペンドタイマの計測を続ける一方、サンプリングタイマをリスタートさせる。
次の３０秒（経過時間６０秒）のサンプリング時間にも、入力がなされず、有効入力数：０、無効入力数：０、有効率：０％となっている。この場合にも、有効率が８０％を越えていないので、サスペンドタイマの計測を続ける一方、サンプリングタイマをリスタートさせる。
さらに、次の３０秒（経過時間９０秒）のサンプリング時間にも、入力がなされず、有効入力数：０、無効入力数：０、有効率：０％となっているので、サスペンドタイマの計測を続ける一方、サンプリングタイマをリスタートさせる。
ここで、次の３０秒（経過時間１２０秒）のサンプリング時間には、入力がなされ、有効入力数：１０、無効入力数：２、有効率：８３％となっている。ここで、有効率が８０％を越えているので、サスペンドタイマ及びサンプリングタイマをリスタートさせる。
このようにして、設定した有効率を超えた場合には、省電力モードに移行する時間（サスペンドタイマ）をリスタートすることができ、有効入力中には、省電力モードになることなく使用できる。
【００４１】
実施例２
図８は、本発明の電力制御方法の第２の実施例について説明するための図である。
この実施例においては、上述の第１の実施例と同様の設定を行う。
図８においても、３０秒ごとの経過時間と、その間の有効入力回数と、無効入力回数と、それらの有効率（有効キー入力数／総入力数）が示されている。
【００４２】
この例においては、電源をオンして３０秒後までに、入力がなされ、有効入力数：１、無効入力数：５、有効率：１７％となっている。この場合には、有効率が８０％を越えていないので、サスペンドタイマの計測を続ける一方、サンプリングタイマをリスタートさせる。
次の３０秒（経過時間６０秒）のサンプリング時間には、有効入力数：０、無効入力数：１、有効率：０％となっているので、サスペンドタイマの計測を続ける一方、サンプリングタイマをリスタートさせる。
次の３０秒（経過時間９０秒）のサンプリング時間には、有効入力数：０、無効入力数：０、有効率：０％となっているので、サスペンドタイマの計測を続ける一方、サンプリングタイマをリスタートさせる。
次の３０秒（経過時間１２０秒）のサンプリング時間にも、有効入力数：０、無効入力数：０、有効率：０％となっているので、サスペンドタイマの計測を続ける一方、サンプリングタイマをリスタートさせる。
次の３０秒（経過時間１５０秒）のサンプリング時間には、有効入力数：２、無効入力数：５、有効率：２９％となっているので、サスペンドタイマの計測を続ける一方、サンプリングタイマをリスタートさせる。
次の３０秒（経過時間１８０秒）のサンプリング時間には、有効入力数：２、無効入力数：７、有効率：２２％となっているので、サスペンドタイマの計測を続ける一方、サンプリングタイマをリスタートさせる。
次の３０秒（経過時間２１０秒）のサンプリング時間には、有効入力数：０、無効入力数：０、有効率：０％となっているので、サスペンドタイマの計測を続ける一方、サンプリングタイマをリスタートさせる。
次の３０秒（経過時間２４０秒）のサンプリング時間にも、有効入力数：０、無効入力数：０、有効率：０％となっているので、サスペンドタイマの計測を続ける一方、サンプリングタイマをリスタートさせる。
次の３０秒（経過時間２７０秒）のサンプリング時間には、有効入力数：０、無効入力数：１、有効率：０％となっているので、サスペンドタイマの計測を続ける一方、サンプリングタイマをリスタートさせる。
次の３０秒（経過時間３００秒）のサンプリング時間には、有効入力数：０、無効入力数：０、有効率：０％となっているので、サンプリングタイマをリスタートさせる。ここで、経過時間が設定したサスペンド時間の３００秒に達する。この場合には、図６を参照して説明したように、サスペンド処理がなされ、省電力モードに移行する。
【００４３】
この例においては、不自然な入力がなされているが、これは例えば、携帯型の電子機器の電源を切り忘れた状態で衣服や鞄の中に入れ、タッチパネル等に衣服等が接触し、頻繁に入力がなされてしまう場合を想定している。このようにして、電源を切り忘れて何らかの入力がなされる場合にも、有効率が低ければ、一定時間後に省電力モードに移行させることができる。
【００４４】
実施例３
図９は、本発明の電力制御方法の第３の実施例について説明するための図である。
この実施例においては、上述の第１、第２の実施例と同様の設定を行う。
【００４５】
図９においても、３０秒ごとの経過時間と、その間の有効入力回数と、無効入力回数と、それらの有効率（有効キー入力数／総入力数）が示されている。
この例においては、電源をオンして３００秒後までに、一切の入力がなされず、全てのサンプリング時間において、有効入力数：０、無効入力数：０、有効率：０％となっている。そして、経過時間が設定したサスペンド時間の３００秒に達し、サスペンド処理がなされ、省電力モードに移行する。
【００４６】
これは例えば、衣服や鞄の中に入れた携帯型の電子機器の電源がオンになってしまった場合や、一定時間入力をせずに放置した場合を想定しており、通常の省電力モードと同様の機能である。このように、上述の本発明の第１及び第２の実施例と同様の設定を用いて、通常の省電力モードをも行うことができる。
【００４７】
実施例４
図１０は、本発明の電力制御方法の第４の実施例について説明するための図である。
この実施例においては、例えば、以下のような設定を行う。
サスペンド時間        ：５分
サンプリング時間      ：３０秒
有効／無効の比較の基準：有効率（有効キー入力数／総入力数）が８０％を越えた場合に、サスペンドタイマをリスタートする。且つ、４回連続で無効率（無効キー入力数／総入力数）が５０％を越えた場合に、省電力モードに移行する。
【００４８】
ここで、この例は、パスワード入力処理を行う場合を想定している。そのため、この例においては、「有効入力」とは正しいパスワードが入力された場合であり、「無効入力」とは不正パスワードが入力された場合を指す。
なお、この実施例においては、無効率が５０％を越えた回数を得るため、カウンタ（図５参照）で無効率カウンタ値を計数する。
【００４９】
図１０においては、３０秒ごとの経過時間と、その間の有効入力回数と、無効入力回数と、それらの無効率（無効キー入力数／総入力数）が示されている。
この例においては、電源をオンして３０秒後までは、有効入力数：６、無効入力数：１５、有効率：７１％となっている。この場合には、有効率が８０％を越えていないので、サスペンドタイマの計測を続ける一方、サンプリングタイマをリスタートさせる。ところが、無効率が５０％を越えているので、カウンタで無効率カウンタを１つアップする。
次の３０秒（経過時間６０秒）のサンプリング時間には、有効入力数：５、無効入力数：１１、有効率：６９％となっている。この場合にも、有効率が８０％を越えていないので、サスペンドタイマの計測を続ける一方、サンプリングタイマをリスタートさせる。また、無効率が５０％を越えているので、カウンタで無効率カウンタを１つアップする。
次の３０秒（経過時間９０秒）のサンプリング時間には、有効入力数：５、無効入力数：９、有効率：６４％となっている。この場合にも、有効率が８０％を越えていないので、サスペンドタイマの計測を続ける一方、サンプリングタイマをリスタートさせる。また、無効率が５０％を越えているので、カウンタで無効率カウンタを１つアップする。
さらに、次の３０秒（経過時間１２０秒）のサンプリング時間には、有効入力数：５、無効入力数：７、有効率：５８％となっている。この場合にも、有効率が８０％を越えていないので、サスペンドタイマの計測を続ける一方、サンプリングタイマをリスタートさせる。また、無効率が５０％を越えているので、カウンタで無効率カウンタを１つアップする。ここで、サスペンド時間の３００秒に達してはいないものの、無効率カウンタ値が４となり、４回連続で無効率が５０％を越えたので、設定したとおり省電力モードに移行する。
【００５０】
このように、他人が不正なパスワードを複数回入力した場合は、サスペンド時間到達を前にして、省電力モードに移行することができ、パスワード解除までの時間を引き延ばすことができる。
【００５１】
実施例５
図１１は、本発明の電力制御方法の第５の実施例について説明するための図である。
この実施例においては、例えば、以下のような設定を行う。
サスペンド時間        ：５分
サンプリング時間      ：３０秒
有効／無効の比較の基準：有効率（有効キー入力数／総入力数）が８０％を越えた場合に、サスペンドタイマをリスタートする。且つ、サンプリング時間内の無効入力回数が２０回を越えた場合に、省電力モードに移行する。
【００５２】
図１１においても、３０秒ごとの経過時間と、その間の有効入力回数と、無効入力回数と、それらの無効率（無効キー入力数／総入力数）が示されている。
この例においては、電源をオンして３０秒後までは、有効入力数：６、無効入力数：１５、有効率：７１％となっている。この場合には、有効率が８０％を越えていないので、サスペンドタイマの計測を続ける一方、サンプリングタイマをリスタートさせる。また、サンプリング時間内の無効入力回数が２０回を越えていないので、省電力モードに移行しない。
次の３０秒（経過時間６０秒）のサンプリング時間には、有効入力数：５、無効入力数：１１、有効率：６９％となっている。この場合にも、有効率が８０％を越えていないので、サスペンドタイマの計測を続ける一方、サンプリングタイマをリスタートさせる。また、サンプリング時間内の無効入力回数が２０回を越えていないので、省電力モードに移行しない。
次の３０秒（経過時間９０秒）のサンプリング時間には、有効入力数：５、無効入力数：９、有効率：６４％となっている。この場合にも、有効率が８０％を越えていないので、サスペンドタイマの計測を続ける一方、サンプリングタイマをリスタートさせる。また、サンプリング時間内の無効入力回数が２０回を越えていないので、省電力モードに移行しない。
さらに、次の３０秒（経過時間１２０秒）のサンプリング時間には、有効入力数：２２、無効入力数：２１、有効率：４９％となっている。この場合には、サンプリング時間内の無効入力回数が２０回を越えているので、設定したとおり省電力モードに移行する。
【００５３】
これは例えば、子供が悪戯をしてタッチパネルを押圧する例である。このように、無効率が比較的低くても悪戯に無効入力キーを多数回押した場合には、サスペンド時間到達を前にして、省電力モードに移行することもできる。
【００５４】
【発明の効果】
以上の説明から明らかなように、本発明によれば、キー入力されたものの有効／無効判定を行い、その頻度等を比較することにより、より効率よく省電力モードへの移行を行うことができる。
【図面の簡単な説明】
【図１】本発明の実施の形態に係る電子機器を概要を示す一部分解斜視図である。
【図２】液晶パネル及びタッチパネルの構成を示す側面断面図である。
【図３】タッチパネルの押圧位置の測定装置の概要を説明するための図である。
【図４】液晶パネル３の表示領域を説明するための図である。
【図５】携帯情報端末１のシステムの構成を示すブロック図である。
【図６】携帯情報端末１の電力制御方法を実現するプログラムルーチンを示す図である。
【図７】本発明の電力制御方法の第１の実施例について説明するための図である。
【図８】本発明の電力制御方法の第２の実施例について説明するための図である。
【図９】本発明の電力制御方法の第３の実施例について説明するための図である。
【図１０】本発明の電力制御方法の第４の実施例について説明するための図である。
【図１１】本発明の電力制御方法の第５の実施例について説明するための図である。
【図１２】従来の電子機器の省電力方法を示すフローチャートである。
【符号の説明】
７１  メインルーチン
７２  タイマ割り込みルーチン
７３  サスペンド割り込みルーチン
７４  サンプリング割り込みルーチン
７５  タッチ割り込みルーチン
【図１】
0003900854.tif 000002
【図２】
0003900854.tif 000003
【図３】
0003900854.tif 000004
【図４】
0003900854.tif 000005
【図５】
0003900854.tif 000006
【図６】
0003900854.tif 000007
【図７】
0003900854.tif 000008
【図８】
0003900854.tif 000009
【図９】
0003900854.tif 000010
【図１０】
0003900854.tif 000011
【図１１】
0003900854.tif 000012
【図１２】
0003900854.tif 000013